(57)【要約】【目的】ワイヤロープに強い張力が加わったとしてもワイヤロープの結束（連結）を保つことができる構造を持つワイヤロープ結束具を提供する。【構成】ワイヤロープ結束具30は，内側上半体31，内側下半体32および外側筒状体33を含む。内側上半体31および内側下半体32には，それぞれワイヤロープ溝が形成されている。末端にストッパ11が固定された２本のワイヤロープ10ａ，10ｂの端部を，端部が所定長さだけ二重になるようにそれぞれ上記ワイヤロープ溝に入れ，両半体31，32を外側筒状体33内に入れる。両半体31，32と筒状体33は，ボルト34，35およびナットによって固定される。【選択図】図９
2008303490.tif 000002
【特許請求の範囲】
【請求項１】
少なくとも２つのワイヤロープ溝が互いに平行に形成された２つの内側半体，
上記ワイヤロープ溝を向かい合わせて上記２つの内側半体を重ね合わせた内側体が挿入される筒状体，および
上記筒状体と上記内側体を固定する固定具，
を備えたワイヤロープ結束具。
【請求項２】
上記２つの内側半体を重ね合わせることによって上記ワイヤロープ溝によって形成されるワイヤロープ挿通路を，ワイヤロープがその長手方向に動きうる，
請求項１に記載のワイヤロープ結束具。
【請求項３】
上記２つの内側半体の両側部に，上記２つの内側半体を重ね合わせたときに互いに嵌合する段部が形成されている，
請求項１に記載のワイヤロープ結束具。
【請求項４】
少なくとも２つのワイヤロープ溝が互いに平行に形成された２つの内側半体，および上記ワイヤロープ溝を向かい合わせて上記２つの内側半体を重合わせた内側体が挿入される筒状体を用意し，
末端に抜止めストッパが固定されたワイヤロープの少なくとも２つの端部を上記筒状体に通し，
上記ワイヤロープの少なくとも２つの端部を上記ワイヤロープ溝に入れた状態で上記２つの内側半体を重合わせ，
ワイヤロープが挿通された，上記２つの内側半体を重合わせた内側体を上記筒状体に挿入し，
上記筒状体と内側体を固定具によって固定する，
ワイヤロープの端部の結束方法。
【請求項５】
間隔をあけて立設された複数本の支柱，
隣接する支柱間に張られ，両側間にワイヤロープ挿通路が形成されたパネル体，および
上記パネル体の上記ワイヤロープ挿通路を通された複数本のワイヤロープを備え，
上記複数本のワイヤロープは，一のワイヤロープの一端と他のワイヤロープの一端が請求項４に記載のワイヤロープの端部の結束方法によって結束されており，
結束されたワイヤロープの両端が上記支柱または支柱が固定される構造体に固定されている，壁体。
【発明の詳細な説明】
【技術分野】
【０００１】
この発明は，ワイヤロープの端部を結束するワイヤロープ結束具，およびワイヤロープ結束具を用いたワイヤロープの端部の結束方法に関する。
【背景技術】
【０００２】
特許文献１には，２本のワイヤーロープをスライド可能に繋ぐ接合具が記載されている。この接合具は，横断面がＣ字形状の内側部材と，内側部材が挿入される横断面がＣ字形状の外側部材との組み合わせで構成されている。接合具によって接合されるワイヤーロープ（支柱落下防止ワイヤーロープおよび支柱回転防止ワイヤーロープ）は，防音壁を構成する支柱に貫通されて設置される。
【０００３】
特許文献１に記載の接合具を構成する内側部材および外側部材のいずれにも，その長手方向に間隙があるので，防音壁もしくは接合具に強い衝撃が加わる，またはワイヤーロープに強い力が加わると，この間隙が外方に開いてしまうおそれがある。ワイヤーロープの接合（連結）が外れてしまう可能性が生じる。
【特許文献１】特開２００６−３２８７６６号公報
【発明の開示】
【０００４】
この発明は，ワイヤロープに強い力が加わったとしてもワイヤロープの結束（連結）を保つことができる構造を持つワイヤロープ結束具を提供することを目的とする。
【０００５】
この発明は，上記ワイヤロープ結束具を用いたワイヤロープの端部の結束方法を提供している。
【０００６】
この発明によるワイヤロープの結束具は，ワイヤロープの端部を結束（連結）するためのものである。ワイヤロープの端部は，２本以上のワイヤロープのそれぞれの端部であってもよく，少なくとも１本のワイヤロープの両端部であってもよい。
【０００７】
この発明によるワイヤロープ結束具は，２つの内側半体と，１つの筒状体を備えている。２つの内側半体のそれぞれには，少なくとも２つのワイヤロープ溝が互いに平行に形成されている。２つの内側半体を上記ワイヤロープ溝を向かい合わせて重合わせた内側体が，筒状体に挿入され，固定具によって筒状体と内側体とが固定される。
【０００８】
ワイヤロープ結束具を用いたワイヤロープの端部の結束は，次のようにして行われる。。すなわち，末端に抜止めストッパが固定されたワイヤロープの少なくとも２つの端部を上記筒状体にそれぞれ通す。ワイヤロープの少なくとも２つの端部を上記ワイヤロープ溝に入れた状態で上記２つの内側半体を重ね合わせる。ワイヤロープが挿通された内側体を筒状体内に挿入する。これにより，ワイヤロープが挿通された内側体（２つの内側半体）の端部を除く全体が筒状体によって覆われる。
【０００９】
筒状体と内側体を固定具によって固定する。固定具は，２つの内側半体と筒状体の相対的な位置がずれないようにするものであればよい。一実施態様では，上記筒状体および２つの内側半体のそれぞれを貫く穴があけられ，この穴に棒状体を挿入することによって筒状体と内側体が固定される。たとえば，ボルト（およびナット），ピンなどを上記棒状体として用いることができる。
【００１０】
この発明によるワイヤロープ結束具は，２つの内側半体の端部を除く全体が筒状体によって覆われているので，結束具に強い衝撃が加わったとしても，またはワイヤロープに強い張力が加わったとしても，結束具（特に，筒状体）が破損する可能性は低い。ワイヤロープの結束状態（連結状態）を良好に維持することができる。
【００１１】
好ましくは，上記ワイヤロープ溝によって形成される複数のワイヤロープ挿通路を，挿通されるワイヤロープがその長手方向に動きうる。この場合，上記２つの内側半体はその外方においてワイヤロープの端部が所定長さだけ重複するように（二重，三重等になるように）それぞれ上記ワイヤロープ溝に入れた状態で重合わされる。
【００１２】
ワイヤロープが長手方向に動きうるとは，ワイヤロープ挿通路がワイヤロープの径とほぼ同じであること，または少し大きいことを含む。いずれにしても，ワイヤロープに張力が加わったときにワイヤロープが互いに離れる方向にずれていく程度であればよく，結束されるワイヤロープの径に応じて決められる。
【００１３】
ワイヤロープに張力が加わることによって互いに離れる方向にワイヤロープが引っ張られると，ワイヤロープの末端に固定されている抜止めストッパが結束具に当たるまでずれていく。ワイヤロープに急激に加わる張力が互いに離れる方向にワイヤロープがずれていくことによって緩衝され，かつワイヤロープの結束具からの抜け落ちが防止される。ワイヤロープの末端に固定されている抜止めストッパはワイヤロープ溝によって形成されるワイヤロープ挿通路の径よりも大きいことは言うまでもない。
【００１４】
一実施態様では，上記２つの内側半体の両側部に，上記２つの内側半体を重ね合わせたときに互いに嵌合する段部が形成されている。段部によって２つの内側半体の互いに近づく方向または互いに離れる方向への動きが制限されるので，内側体と筒状体との相対的な位置ずれの防止効果が補強される。凸部（凹部），壁部，その他の段差を構成する形状によって，上記２つの内側半体の両側部の段部は形成される。たとえば，２つの内側半体の両側部の一部に上記ワイヤロープ溝から立ち上がる側壁を形成すれば，この側壁が段部となる。
【００１５】
この発明によるワイヤロープ結束具（ワイヤロープ結束具を用いたワイヤロープの端部の結束方法）は，遮音壁，防音壁，その他の壁体に用いることができる。この発明による壁体は，間隔をあけて立設された複数本の支柱，隣接する支柱間に張られ，両側間にワイヤロープ挿通路が形成されたパネル体，および上記パネル体の上記ワイヤロープ挿通路を通された複数本のワイヤロープを備え，上記複数本のワイヤロープは，一のワイヤロープの一端と他のワイヤロープの一端が上述のワイヤロープ結束具を用いたワイヤロープの端部の結束方法によって結束されており，結束されたワイヤロープの両端が上記支柱または支柱が固定される構造体に固定されていることを特徴とする。
【００１６】
壁体，たとえば遮音壁に車両が衝突して遮音壁（支柱およびパネル体）が傾いた場合，ワイヤロープに荷重がかかる。ワイヤロープ結束具は内側体（２つの内側半体）の端部を除く全体が筒状体によって覆われているので，遮音壁もしくは結束具に強い衝撃が加わったとしても，またはワイヤロープに強い張力が加わったとしても破損する可能性は低く，ワイヤロープの結束状態（連結状態）が良好に維持される。また，内側体のワイヤロープ挿通路がワイヤロープが長手方向に動きうるものであり，結束具の外側でワイヤロープの端部が所定長さだけ重複するようにワイヤロープを結束具によって結束しておくことによって，遮音壁に車両が衝突すると互いに離れる方向にワイヤロープが引っ張られて，ワイヤロープの末端に固定されている抜止めストッパが結束具に当たるまでずれていく。ワイヤロープに加わる張力が緩衝される。また，ワイヤロープによって，支柱およびパネル体の動き（倒れ，移動，回転等）を抑制することできる。ワイヤロープは支柱を貫通させて張設しておいてもよい。
【実施例】
【００１７】
図１は道路の側部に沿って設けられている遮音壁（防音壁）を，正面側（道路側）から見た斜視図を示している。
【００１８】
遮音壁１は，下端に板状の基台３が溶接されたＨ鋼よりなる支柱２と，隣接する支柱２間に張られて壁をつくる防音パネル４，５，６および７と，隣接する支柱２間に嵌め込まれた，加工されたＨ鋼からなる支持部材８とから構成されている。支柱２は基台３をアンカーボルト51によってコンクリート上に固定することによって立設される。複数の支柱２を立設した後に，隣接する２つの支柱２の溝（Ｈ鋼のウェブとフランジによって形成される溝）に，支持部材８および４つの防音パネル４〜７が嵌込まれて積重ねられる。
【００１９】
立設される支柱２の数および遮音壁１の幅（距離）は，遮音または防音が要求される場所に応じて適宜調節される。この実施例では，遮音壁１は比較的長い距離（たとえば，２００ｍ）にわたって設けられているものとする。複数の支柱２のうち，遮音壁１の２つ（左右）の最終地点に位置する支柱２を，特に符号２（Ａ），２（Ｃ）で示し，中間地点に位置する支柱２を符号２（Ｂ）で示す。
【００２０】
図２は，支柱２の下端部分を背面側から見た拡大斜視図である。図２において防音パネルの図示は省略されている。図３は支柱２の上端部分を背面側から見た拡大斜視図である。
【００２１】
図２を参照して，立設された支柱２（Ｈ鋼）のウェブ２ａを挟む２つのフランジ２ｂ，２ｃのうち，背面側（道路に面していない側）のフランジ２ｃの下端部分にボルト穴があけられている。支持部材８（Ｈ鋼）のウェブ８ａを挟むフランジ８ｂ，８ｃのうち，背面側のフランジ８ｃの端部にもボルト穴があけられている。支柱２のフランジ２ｃの下端部分にあけられたボルト穴および支持部材８のフランジ８ｃの端部にあけられたボルト穴にボルト73を通しナット（図示略）によって締付けることによって，支持部材８の両端は隣接する支柱２にそれぞれ固定されている。
【００２２】
図３を参照して，最上段の防音パネル４の両側部には，正面側および背面側のそれぞれに，側方に伸びるフランジ部４ｂ，４ｃが形成され，背面側のフランジ部４ｃの上端部および下端部にそれぞれボルト穴があけられている。支柱２の背面側のフランジ２ｃの対応する高さ位置にもボルト穴があけられている。支柱のフランジ２ｃにあけられたボルト穴および防音パネル４のフランジ部４ｃにあけられたボルト穴にボルト74が通してナット（図示略）によって締付けることによって，防音パネル４の両端部が隣接する支柱２にそれぞれ固定されている。防音パネル４の下段の３つの防音パネル５，６および７も同様に，ボルト・ナットによって隣接する支柱２に固定される。
【００２３】
図４は遮音壁の一部破断正面図を示している。図５，図６および図７は，図４の V-V線，VI-VI線およびVII-VII線に沿う断面図（ハッチングは省略）をそれぞれ示している。
【００２４】
最上段の防音パネル４の下端部分には，正面側（道路側）および背面側のそれぞれに，下方に伸びるフランジ部４ｄ，４ｅが形成されている（図５）。フランジ部４ｄ，４ｅによって遮音壁１の幅方向にのびるワイヤロープ挿通路４ａが形成されている。また，複数の支柱２のウェブ２ａの上記ワイヤロープ挿通路４ａに対応する高さ位置にワイヤロープ通し穴２ｄがあけられている（図６）。ワイヤロープ挿通路４ａおよび支柱２の通し穴２ｄに，結束具30（図４，図７）によって端部同士が結束（連結）されて直線状にされた互いに等しい径を持つワイヤロープ10ａ〜10ｆが通されている。図４では，２本のワイヤロープ10ａ，10ｂ（およびワイヤロープ10ａ，10ｂの間を結束（連結）する結束具30）のみが示され，残りの４本のワイヤロープ10ｃ〜10ｆの図示は省略されている。
【００２５】
遮音壁１の下方に位置する支持部材８は防音パネル４〜７を支持するとともに，遮音壁１の幅方向にのびるワイヤロープ挿通路８ｄを形成する（図５）。複数の支柱２のウェブ２ａのワイヤロープ挿通路８ｄに対応する高さ位置にはワイヤロープ通し穴２ｅがあけられている（図６）。ワイヤロープ挿通路８ｄおよび支柱２の通し穴２ｅに，結束具40（図４，図７）によって端部同士が結束（連結）されて直線状にされた互いに同じ径を持つワイヤロープ20ａ〜20ｆが通されている。図４では，２本のワイヤロープ20ａ，20ｂ（およびワイヤロープ20ａ，20ｂの間を結束（連結）する結束具40のみが示され，残りの４本のワイヤロープ20ｃ〜20ｆの図示は省略されている。
【００２６】
後述するように，遮音壁１の下部に張設されたワイヤロープ20ａ〜20ｆは，車両等が遮音壁１に衝突した場合に支柱２および防音パネル４〜７がはねとばされて（支柱２が根本から破損して）道路から落下してしまうのを防止するためのものであり，以下，落下防止用ワイヤロープと呼ぶ。遮音壁１の比較的上部に張設されたワイヤロープ10ａ〜10ｆは，車両等が遮音壁１に衝突した場合に，上述の落下防止用ワイヤロープ20ａ〜20ｆを軸にして支柱２および防音パネル４〜７が回転してしまうのを防止するためのものであり，以下，回転防止用ワイヤロープと呼ぶ。遮音壁１の下部に張設された落下防止用ワイヤロープ20ａ〜20ｆの径は，遮音壁１の比較的上部に張設された回転防止用ワイヤロープ10ａ〜10ｆの径（たとえば，直径12mm）よりも若干太い（たとえば，直径18mm）。
【００２７】
回転防止用ワイヤロープ10ａ〜10ｆおよび落下防止用ワイヤロープ20ａ〜20ｆは，遮音壁１の全幅にわたって張設されるが，この実施例の遮音壁１は比較的長い距離にわたって設けられているので，遮音壁１の中間位置の支柱２（Ｂ）（図１参照）において２つに分離されている。すなわち，遮音壁１の一端の支柱２（Ａ）から中間支柱２（Ｂ）の間に，２つの結束具30によって結束された回転防止用ワイヤロープ10ａ，10ｂ，10ｃが張設され，中間支柱２（Ｂ）から他端の支柱２（Ｃ）の間に２つの結束具30によって結束された回転防止用ワイヤロープ10ｄ，10ｅ，10ｆが張設されている。同様にして，落下防止用ワイヤロープ20ａ〜20ｆについても，支柱２（Ａ）から中間支柱２（Ｂ）の間に２つの結束具40によって結束された落下防止用ワイヤロープ20ａ，20ｂ，20ｃが張設され，中間支柱２（Ｂ）から支柱２（Ｃ）の間に，２つの結束具40によって結束された落下防止用ワイヤロープ20ｄ，20ｅ，20ｆが張設されている。
【００２８】
図８は，回転防止用ワイヤロープ10ｃの一端と回転防止用ワイヤロープ10ｄの一端とが，中間支柱２（Ｂ）に固定されている様子を示している。回転防止用ワイヤロープ10ｃ，10ｄの一端（固定端）にねじ溝が形成された端末具71がそれぞれ固定されている。中間支柱２（Ｂ）のウェブ２ａにあけられた２つの穴にねじ軸52がそれぞれ通されて，ねじ軸52と端末具71が連結（固定）される。ねじ軸52をナット53によってウェブ２ａに固定することによって，回転防止用ワイヤロープ10ｃ，10ｄの一端がそれぞれ中間支柱２（Ｂ）に固定される。
【００２９】
落下防止用ワイヤロープ20ｃ，20ｄの一端も，上述と同様にして，中間支柱２（Ｂ）に固定される。
【００３０】
図４に戻って，遮音壁１の一端に位置する支柱２（Ａ）に回転防止用ワイヤロープ10ａの一端が固定されている。回転防止用ワイヤロープ10ａの一端にもねじ溝が形成された端末具71が固定されており，支柱２（Ａ）のウェブ２ａにあけられた通し穴２ｄにねじ軸52が通されて端末具71と固定され，このねじ軸52がナット53によって支柱２（Ａ）のウェブ２ａに固定される。落下防止用ワイヤロープ20ａの一端も同様にして，落下防止用ワイヤロープ20ａの一端に固定されたねじ溝が形成された端末具72と支柱２（Ａ）のウェブ２ａにあけられた通し穴２ｅに通されたねじ軸62とが固定され，このねじ軸62がナット63によって支柱２（Ａ）のウェブ２ａに固定される。
【００３１】
図４において図示は省略するが，遮音壁１の他端に位置する支柱２（Ｃ）には，回転防止用ワイヤロープ10ｆおよび落下防止用ワイヤロープ20ｆの一端が，上述と同様にして固定される。
【００３２】
回転防止用ワイヤロープ10ａ，10ｆの一端および落下防止用ワイヤロープ20ａ，20ｆの一端については，上述のように支柱２（Ａ），２（Ｃ）に固定するのに代えて，他の構造物，たとえば，支柱２（Ａ），２（Ｃ）が固定されるコンクリート高欄の側壁にアンカーボルト等を用いて固定するようにしてもよい。
【００３３】
結束具30によって結束（連結）される回転防止用ワイヤロープの端部，すなわち，回転防止用ワイヤロープ10ａの他端（上述の支柱２（Ａ）に固定される一端と反対側），ワイヤロープ10ｂの両端等には，ストッパ11が固定されている（図４）。ストッパ11によって，ワイヤロープ10ａ，10ｂ・・・の端部（結束端）が結束具30から抜け，ワイヤロープ同士の結束（連結）がとかれてしまうことが防止される（詳しくは後述する）。同様に，結束具40によって結束される落下防止用ワイヤロープ20ａ，20ｂ・・の端部にもストッパ21が固定されており（図４），連結されたワイヤロープ20ａ，20ｂ・・・の結束具40からの抜けが防止される。
【００３４】
図９は，２本の回転防止用ワイヤロープ10ａ，10ｂの端部が結束具30によって結束（連結）されている様子を示している。図１０は結束具30の分解斜視図である。寸法が異なるものの，落下防止用ワイヤロープ20ａ，20ｂ・・の端部を結束する結束具40も結束具30と同じ構造を持つ。結束具30について説明する。
【００３５】
結束具30は，内側上半体31，内側下半体32および外側筒状体33を含む。内側上半体31，内側下半体32および外側筒状体33は，いずれも鉄にカーボン，マンガン等を混入させた，比較的硬い高張力炭素鋼でつくられている。
【００３６】
内側上半体31の下面には，壁部31ｅによって仕切られた互いに平行にのびる弧状の断面形状を持つ２つのワイヤロープ溝31ｃ，31ｄが形成されている。壁部31ｅの部分に，内側上半体31の上面から下面を貫く２つのボルト穴31ａ，31ｂが間隔をあけてあけられている。
【００３７】
内側下半体32の上面にも，壁部32ｅによって仕切られた互いに平行にのびる弧状の断面形状をもつ２つワイヤロープ溝32ｃ，32ｄが形成され，壁部32ｅの部分に，内側下半体32の上面から下面を貫く２つのボルト穴32ａ，32ｂが間隔をあけてあけられている。
【００３８】
両半体31，32を，ワイヤロープ溝を向かい合わせて重ね合わせると，上半体31のワイヤロープ溝31ｃ，31ｄおよび下半体32のワイヤロープ溝32ｃ，32ｄによって，回転防止用ワイヤロープ10ａ，10ｂがそれぞれ通る２つのワイヤロープ挿通路が形成される。
【００３９】
上半体31の下面の両側には，上半体31の一端部から中央にかけて形成された高い側壁31ｆが立ち上がり，中央から他端部にかけては低い側壁31ｇが立ち上がっている。高い側壁31ｆと低い側壁31ｇとの境界は段差31ｈをなしている。
【００４０】
他方，下半体32の上面の両側には，下半体32の他端部から中央にかけて高い側壁32ｆが立ち上がり，中央から一端部にかけて低い側壁32ｇが立ち上がっている。高い側壁32ｆと低い側壁32ｇとの境界は段差32ｈをなしている。
【００４１】
両半体31，32を重ね合わせると，上半体31の下面両側の高い側壁31ｆと，下半体32の上面両側の低い側壁32ｇが嵌合し，かつ上半体31の下面両側の低い側壁31ｇと，下半体32の上面両側の高い側壁32ｆが嵌合する。また，上半体31の段差31ｈと下半体32の段差32ｈが互いに対向する。段差31ｈ，32ｈによって，重合わされた上半体31および下半体32の互いに近づく方向への動きが制限される。
【００４２】
また，両半体31，32を重ね合わせると，上面および下面が扁平した円柱状の外形形状となる。外側筒状体33は，両半体31，32を重ね合わせたときの外形形状よりも少し大きい。外側筒状体33の上面および下面にも，２つのボルト穴33ａ，33ｂが間隔をあけてあけられている。
【００４３】
外側筒状体33の中に２本の回転防止用ワイヤロープ10ａ，10ｂを，それぞれ反対方向に通しておく。２本の回転防止用ワイヤロープ10ａ，10ｂのそれぞれの端部を，内側下半体32の２つのワイヤロープ溝32ｃ，32ｄにそれぞれ入れる。このとき，２本の回転防止用ワイヤロープ10ａ，10ｂのそれぞれについて，ストッパ11から少し離れたワイヤロープ10ａ，10ｂの部分を，内側下半体32の２つのワイヤロープ溝32ｃ，32ｄにそれぞれ入れておく。以下，ストッパ11から結束具30までの回転防止用ワイヤロープ10ａ，10ｂの部分を余長部分と呼ぶ。
【００４４】
内側下半体32の上に内側上半体31を重ねる。内側上半体31の下面のワイヤロープ溝31ｃ，31ｄにも，２本の回転防止用ワイヤロープ10ａ，10ｂがそれぞれ入る。
【００４５】
両半体31，32を重ね合わせた後，両半体31，32の位置まで外側筒状体33をスライドさせ，両半体31，32を外側筒状体33内に入れる。その後，ボルト穴33ａ，31ａ，32ａとボルト穴33ｂ，31ｂ，32ｂに，それぞれボルト34，35を通し，ワッシャ38，39を介してナット36，37によって締め付ける。２本の回転防止用ワイヤロープ10ａ，10ｂの端部の結束（連結）が完成する。
【００４６】
上半体31および下半体32にそれぞれ形成されたワイヤロープ溝31ｃ，31ｄ，32ｃ，32ｄによって形成される回転防止用ワイヤロープ10ａ，10ｂが通る２つのワイヤロープ挿通路の径は，回転防止用ワイヤロープ10ａ，10ｂの径よりも少し大きい，またはほぼ一致している。回転防止用ワイヤロープ10ａ，10ｂの端部は結束具30内をその長手方向に動きうる。
【００４７】
また，回転防止用ワイヤロープ10ａ，10ｂの末端に固定されているストッパ11の径は，回転防止用ワイヤロープ10ａ，10ｂが通るワイヤロープ挿通路の径よりも大きい。回転防止用ワイヤロープ10ａ，10ｂが互いに離れる方向にずれていった場合，ストッパ11が結束具30（両半体31，32）の端部に当接し，回転防止用ワイヤロープ10ａ，10ｂが結束具30から抜け落ちてしまうことはない（図１１）。
【００４８】
たとえば，道路を走行している車両が道路の側部に沿って立設された遮音壁１に衝突した場合を考える。車両が遮音壁１に衝突すると，１または数本の支柱２と，その支柱２間に渡されている防音パネル４〜７および支持部材８が道路と反対の方向に傾くおそれがある。さらに，その衝撃が強い場合には，支柱２が根本から破損してしまう（はね飛ばされる）おそれもある。道路が橋架上に建設されておりその橋架下に他の構造物（たとえば，他の道路，民家など）が存在する場合，支柱２または防音パネル４〜７および支持部材８が橋架上から落下すると，災害（二次災害）を引き起こすおそれがある。
【００４９】
支柱２，防音パネル４〜７および支持部材８の橋架上からの落下が，遮音壁１の下部に張設された落下防止用ワイヤロープ20ａ，20ｂ・・・によって効果的に防止される。上述のように，落下防止用ワイヤロープ20ａ，20ｂ・・・は，複数本の支柱２の下部にそれぞれにあけられた通し穴２ｅに通され，両端が支柱２に固定された支持部材８のワイヤロープ挿通路８ｄを通されて張設されている。このため，複数本の支柱２のうちの一部の支柱２がその根本から破損したとしても，衝突を免れた支柱２および支持部材８を通っている落下防止用ワイヤロープ20ａ，20ｂ・・・によって，破損した支柱２の動きが制限され，橋架上からの落下が防止される。防音パネル４〜７および支持部材８は支柱２に固定されているので，防音パネル４〜７および支持部材８も橋架上から落下することはない。
【００５０】
落下防止用ワイヤロープ20ａ，20ｂ・・・のみが設けられているとすると，支柱２および防音パネル４〜７が橋架上から落下しなくても，落下防止用ワイヤロープ20ａ，20ｂ・・・を軸にして橋架下に向けて回転してしまう（１８０度に近い角度の倒壊，宙づり状態）おそれがある。これについては，回転防止用ワイヤロープ10ａ，10ｂ・・・によって防止される。回転防止用ワイヤロープ10ａ，10ｂ・・・は遮音壁１の比較的上部において支柱２の通し穴２ｄおよび防音パネル４のワイヤロープ挿通路４ａを通して張設されているので，回転防止用ワイヤロープ10ａ，10ｂ・・・によって支柱２および防音パネル４〜７の上方部分の動きが制限され，支柱２および防音パネル４〜７が大きく傾いてしまうこと（回転）が防止される。
【００５１】
支柱２，防音パネル４〜７および支持部材８が傾いた場合，または支柱２が根本から破損した場合，回転防止用ワイヤロープ10ａ，10ｂ・・・は互いに離れる方向に引っ張られる。回転防止用ワイヤロープ10ａ，10ｂ・・・の端部は，上述のように，余長部分をあらかじめ確保した上で結束具30によって結束され，結束具30内を長手方向に動きうるので，回転防止用ワイヤロープ10ａ，10ｂ・・・が引っ張られると，ストッパ11が結束具30に当たるまでワイヤロープがずれていく。これにより，回転防止用ワイヤロープ10ａ，10ｂ・・・に急激に加わる張力が緩衝される。ストッパ11によって結束（連結）された状態は保たれるので，回転防止用ワイヤロープ10ａ，10ｂ・・・の端部が暴れてしまうおそれもない。このことは，落下防止用ワイヤロープ20ａ，20ｂ・・・についても同様である。
【００５２】
回転防止用ワイヤロープ10ａ，10ｂ・・・を結束する結束具30は，内側上半体31および内側下半体32の側部を除く全体が外側筒状体33に覆われ，この外側筒状体33と内側上半体31および内側下半体32とが，ボルト34，35およびナット36，37によって固定されているので，回転防止用ワイヤロープ10ａ，10ｂ・・に強い張力が加わったとしても，または結束具30に強い衝撃が加わったとしても，外側筒状体33が破損してしまう可能性は低く，回転防止用ワイヤロープ10ａ，10ｂ・・・の結束（連結）がとかれる可能性は低い。このことは，落下防止用ワイヤロープ20ａ，20ｂ・・・を結束する結束具40についても同様である。
【図面の簡単な説明】
【００５３】
【図１】遮音壁の斜視図である。
【図２】支柱と支持部材を示す斜視図である。
【図３】支柱と防音パネルを示す斜視図である。
【図４】遮音壁の正面図である。
【図５】遮音壁のV-V線に沿う断面図である。
【図６】遮音壁のVI-VI線に沿う断面図である。
【図７】遮音壁のVII-VII線に沿う断面図である。
【図８】ワイヤロープが支柱に固定されている様子を示す。
【図９】結束具の斜視図である。
【図１０】結束具の分解斜視図である。
【図１１】結束具の斜視図である。
【符号の説明】
【００５４】
１  遮音壁
２  支柱
４，５，６，７  防音パネル
10ａ，10ｂ  回転防止用ワイヤロープ
20ａ，20ｂ  落下防止用ワイヤロープ
11，21  ストッパ
30，40  結束具
31  内側上半体
32  内側下半体
31ｃ，31ｄ，32ｃ，32ｄ  ワイヤロープ溝
31ｈ，32ｈ  段差
33  外側筒状体
31ａ，31ｂ，32ａ，32ｂ，33ａ，33ｂ  ボルト穴
34，35  ボルト
36，37  ナット
【図１】
2008303490.tif 000003
【図２】
2008303490.tif 000004
【図３】
2008303490.tif 000005
【図４】
2008303490.tif 000006
【図５】
2008303490.tif 000007
【図６】
2008303490.tif 000008
【図７】
2008303490.tif 000009
【図８】
2008303490.tif 000010
【図９】
2008303490.tif 000011
【図１０】
2008303490.tif 000012
【図１１】
2008303490.tif 000013